(57)【要約】【課題】磁気活水器周辺の好ましくない雑菌の発生や増殖を効果的に抑え、また配水導管内の流速停止状況での管内に発生し易い雑菌の発生・増殖を効果的に抑え、且つ流体内に磁性鉄粉などの混入が多少あったとしても、これを容易に除去できるようにして安心して使用できる磁気活水器を実現する。【解決手段】上部磁気ユニットおよび下部磁気ユニットのそれぞれのガイド溝にガイド板が挿入されて、両者が配水導管を狭設して上下に重ねられて組み立てられたときに、上部磁気ユニットおよび下部磁気ユニットは、それぞれの包挾部品を配水導管に線接触させ、固定材で固定されることなく、磁力による吸引力によって互いに装着されるようにする。【選択図】図１
2008253935.tif 000002
【特許請求の範囲】
【請求項１】
永久磁石をそれぞれ内蔵する上部磁気ユニットと下部磁気ユニットを備え、これら上部磁気ユニットおよび下部磁気ユニットが配水導管を挾設し、上下に重ねられて該配水導管に磁界を形成させるようにした磁気活水器において、
前記上部磁気ユニットおよび前記下部磁気ユニットは、それぞれ永久磁石のマグネット収納部と、包挾部品を収納し、前記配水導管に向けて形成された包挾部品収納部と、前記マグネット収納部および前記包挾部品収納部に沿った横側で前記配水導管の配管方向に沿った形で設けたガイド溝と、が形成された本体、前記マグネット収納部に収納、固定される前記永久磁石および前記包挾部品収納部に配設され、前記配水導管に線接触可能な前記包挾部品から構成され、
前記上部磁気ユニットおよび前記下部磁気ユニットのそれぞれの前記ガイド溝にガイド板が挿入されて、両者が前記配水導管を挾設して上下に重ねられて組み立てられたときに、前記上部磁気ユニットおよび前記下部磁気ユニットは、それぞれの包挾部品を前記配水導管に少なくとも線接触させ、固定材で固定されることなく、磁力による吸引力によって互いに装着されること
を特徴とする磁気活水器。
【請求項２】
請求項１において、前記包挾部品のいずれかの一方の包挾部品は、前記ガイド板と一体構成とされることを特徴とする磁気活水器。
【請求項３】
請求項１において、前記本体はそれぞれ位置決め溝を有し、前記包挾部品はそれぞれ一体となったノッチ板を有して、該ノッチ板が前記位置決め溝に挿入されることを特徴とする磁気活水器。
【請求項４】
請求項１において、前記上部磁気ユニットおよび前記下部磁気ユニットは、同一の構造で形成され、組み立てされたときに、両者間に間隙が形成されることを特徴とする磁気活水器。
【請求項５】
請求項１において、前記包挾部品収納部は曲面または直面で形成された底面部を有し、前記包挾部品は前記配水導管に線接触する面と反対側の面は曲面または直面で形成されて前記底面部に面接触することを特徴とする磁気活水器。
【請求項６】
請求項１から５のいずれかにおいて、配水導管表面と配水導管側の永久磁石底面の配水導管接触線上での接近寸法を２ｍｍ以下（０を含まず）としたことを特徴とする磁気活水器。
【請求項７】
請求項１から６のいずれかにおいて、前記包挾部品および前記ガイド板は樹脂成形品として、遠赤外線発射材料を包含し、前記配管導水を、遠赤外線発射材を包含する樹脂成形品で包囲することを特徴とする磁気活水器。
【請求項８】
永久磁石をそれぞれ内蔵する上部磁気ユニットと下部磁気ユニットを備え、これら上部磁気ユニットおよび下部磁気ユニットが配水導管を挾設して上下に重ねられて該配水導管に磁界を形成させるようにした磁気活水器であって、前記上部磁気ユニットおよび前記下部磁気ユニットは、それぞれ永久磁石のマグネット収納部と、包挾部品の包挾部品を収納し、前記配水導管に向けて形成された包挾部品収納部と、前記マグネット収納部および前記包挾部品収納部の配管方向に沿った横側で前記配水導管に沿った形でガイド溝と、が形成された本体、前記マグネット収納部に収納、固定される前記永久磁石および前記包挾部品収納部に配設され、前記配水導管に線接触可能な前記包挾部品から構成される磁気活水器の組み立て方法において、
前記上部磁気ユニットおよび前記下部磁気ユニットのそれぞれの前記ガイド溝にガイド板を挿入して、前記上部磁気ユニットと前記下部磁気ユニットを、前記配水導管を挾設して上下に重ねて組み立て、この時に前記上部磁気ユニットと前記下部磁気ユニットの磁力による吸引力によってそれぞれの包挾部品を前記配水導管に少なくとも線接触させ、かつ前記上部磁気ユニットと前記下部磁気ユニットとを互いに装着させること
を特徴とする磁気活水器の組み立て方法。
【発明の詳細な説明】
【技術分野】
【０００１】
本発明は配水導管内部に流体進行方向に対し、それと直角方向に磁界ができるように永久磁石を配水導管の外部に設置して、内部で導電性の流体が移動すると該流体が磁気処理されてその性質を変える磁気活水器および磁気活水器の組み立て方法に関する。
【背景技術】
【０００２】
従来のこの種の磁気活水器では磁気活水器と配水導管の装着部あるいはその近傍（雰囲気も含む）で有害な雑菌の発生や増殖によってその部分が極めて不衛生になり易い側面を有していた。これを磁気活水器の構成部品包挾部品に遠赤外線発射材料を含有させた部品を使用し、そこより放射されるマイナスイオンによってこれらの防止を図ることが提供されている。
【０００３】
また、外部に設置の永久磁石による磁場を配水導管内に生じせしめて、配水導管を流れる流体を磁気処理する磁気活水器の該配水導管への装着方法は多くの方法が提案されている。現在公表・市販されているものでは、（１）導管に取付ネジ・ボルトなどで機械的に固定する方法（２）接着性テープや締付けバンドなどで磁気活水器を配水導管に巻きつけ固定する方法（３）比較的強力な永久磁石を使用して、その吸引力を利用し配管をはさみ込んで固定する方法（４）口径の比較的小さい導管などにクリップ方式（クリップ自体に永久磁石を取付けて導管をはさむ）を採用しているものなど各種の方法が考案されている。
【０００４】
特許文献１には、配水管（主に水導管）に挟み込めるように本体が分割構造とされ、分割した部分が同じ構成する水処理活水装置が記載されている。
【０００５】
特許文献２には、永久磁石による磁気と遠赤外線の相乗効果によって水を浄化・活性化する水処理装置が記載されている。
【０００６】
特許文献３には、ヒンジ部材を使用した脱着式水処理装置が記載されている。
【０００７】
特許文献４には、掛止片とバネ特性を有する一対の掛止板を用いて、ワンタッチで磁気発生体を送水管に取り付け可能とすることが記載されている。
【０００８】
【特許文献１】特開平８−１５５４４２号公報
【特許文献２】特開平１０−２７７５４５号公報
【特許文献３】特開平１１−１６９８６１号公報
【特許文献４】実用新案登録第３０３８９０５号公報
【発明の開示】
【発明が解決しようとする課題】
【０００９】
磁気活水器は配水導管内の磁界の強さと流速（磁界と直角の成分）の積に凡そ比例してその流体が磁気処理される。従って、流速のないストップ状態ではこれが停止する。この状態が長期間続くと、条件によっては停滞している流体中に雑菌の発生または増殖の進行の可能性が否めない。特に配管内で最も磁界の強い仮想磁極の近傍では吸引・吸着され易い赤錆などの磁性鉄粉と一緒に雑菌を含む堆積物が生じ易く、この場合上記の進行が加速される。
【００１０】
磁気活水器を配水導管に装着すると、導管内部に磁極が生ずる。一般市水や他下水などの生活水の送水の場合、途中の配水管や各種配水設備、その他より生じ易い鉄錆などの磁性粉が微量ではあるが含まれている場合が多い。この磁性粉は前記配水導管内に生じている磁極に吸引付着する。長期間の使用時には磁性粉が多量の場合配水導管の閉塞などの事態になり得るし、また比較的小量であったとしてもこの付着磁性粉を中核してその他の物質、例えば腐敗し易く雑菌を発生し易い物質も同時に堆積し易くなる。特に磁気活水器を装着して、之を地下に埋設する場合、長期間使用で２〜３年後に悪臭が発生した例もある。
【００１１】
従来の磁気活水器は永久磁石による配水導管内の磁界とこれと直角方向への流体の移動によってその流体が磁気処理され性質を変える本来の目的は程度の大小はあっても概略達していると考えられる。しかしながら、配水導管内を通過する流体が活性化され、それなりの効果の発揮があったとしても、磁気活水器装着部や周辺の汚れの進行とそれに伴う好まざる雑菌の発生・増殖に対しては無防備の状況で、特に生活に直接結びつきのある家庭などで使用の水道蛇口や風呂場、シャワーなどでの使用を考える時、大変不安な側面が否めないものであった。
【００１２】
また、磁気活水器を取付けたままでの長期間未使用の状況は、水が停滞し、条件次第では、有害な雑菌の発生・増殖の可能性の心配があり、衛生面で大変不安な側面を有していた。
【００１３】
流体中に微量の磁性鉄粉・鉄くず（例えば水道配水管や配水系のポンプ類やバルブ類の各種機器から発生すると考えられる磁性をもった赤錆などが該当）が混入する場合、永久磁石によって配水導管内に生じている磁極周辺にこの磁性鉄粉などが吸引・吸着し、長期間使用時堆積する。これを中核としてその他の様々な物質が堆積され易くなって、ひどい場合、配水導管の閉塞に近い状況になり得るし、堆積の物質にもよるが、条件次第では長期間使用時、その物質（一般的にあまり好ましくない物質が多い）が雑菌の温床になり易く、この点衛生面で大変心配な側面を有していた。
【００１４】
本発明は、このような従来の磁気活水器が有していた問題を解決しようとするものであり、磁気活水器周辺の好ましくない雑菌の発生や増殖を効果的に抑え、また配水導管内の流速停止状況での管内に発生し易い雑菌の発生・増殖を効果的に抑え、且つ流体内に磁性鉄粉などの混入が多少あったとしても、これを容易に除去できるようにして安心して使用できる磁気活水器を実現することを目的とする。
【課題を解決するための手段】
【００１５】
本発明は、永久磁石をそれぞれ内蔵する上部磁気ユニットと下部磁気ユニットを備え、これら上部磁気ユニットおよび下部磁気ユニットが配水導管を挾設し、上下に重ねられて該配水導管に磁界を形成させるようにした磁気活水器において、
前記上部磁気ユニットおよび前記下部磁気ユニットは、それぞれ永久磁石のマグネット収納部と、包挾部品を収納し、前記配水導管に向けて形成された包挾部品収納部と、前記マグネット収納部および前記包挾部品収納部に沿った横側で前記配水導管の配管方向に沿った形で設けたガイド溝と、が形成された本体、前記マグネット収納部に収納、固定される前記永久磁石および前記包挾部品収納部に配設され、前記配水導管に線接触可能な前記包挾部品から構成され、
前記上部磁気ユニットおよび前記下部磁気ユニットのそれぞれの前記ガイド溝にガイド板が挿入されて、両者が前記配水導管を挾設して上下に重ねられて組み立てられたときに、前記上部磁気ユニットおよび前記下部磁気ユニットは、それぞれの包挾部品を前記配水導管に少なくとも線接触させ、固定材で固定されることなく、磁力による吸引力によって互いに装着されること
を特徴とする磁気活水器を提供する。
【００１６】
本発明は、また、前記包挾部品のいずれかの一方の包挾部品は、前記ガイド板と一体構成とされることを特徴とする磁気活水器を提供する。
【００１７】
本発明は、また、前記本体はそれぞれ位置決め溝を有し、前記包挾部品はそれぞれ一体となったノッチ板を有して、該ノッチ板が前記位置決め溝に挿入されることを特徴とする磁気活水器を提供する。
【００１８】
本発明は、また、前記上部磁気ユニットおよび前記下部磁気ユニットは、同一の構造で形成され、組み立てされたときに、両者間に間隙が形成されることを特徴とする磁気活水器を提供する。
【００１９】
本発明は、また、前記包挾部品収納部は曲面または直面で形成された底面部を有し、前記包挾部品は前記配水導管に線接触する面と反対側の面は曲面または直面で形成されて前記底面部に面接触することを特徴とする磁気活水器を提供する。
【００２０】
本発明は、また、配水導管表面と配水導管側の永久磁石底面の配水導管接触線上での接近寸法を２ｍｍ以下（０を含まず）としたことを特徴とする磁気活水器を提供する。
【００２１】
本発明は、また、前記包挾部品および前記ガイド板は樹脂成形品として、遠赤外線発射材料を包含し、前記配管導水を、遠赤外線発射材を包含する樹脂成形品で包囲することを特徴とする磁気活水器を提供する。
【００２２】
本発明は、永久磁石をそれぞれ内蔵する上部磁気ユニットと下部磁気ユニットを備え、これら上部磁気ユニットおよび下部磁気ユニットが配水導管を挾設して上下に重ねられて該配水導管に磁界を形成させるようにした磁気活水器であって、前記上部磁気ユニットおよび前記下部磁気ユニットは、それぞれ永久磁石のマグネット収納部と、包挾部品の包挾部品を収納し、前記配水導管に向けて形成された包挾部品収納部と、前記マグネット収納部および前記包挾部品収納部の配管方向に沿った横側で前記配水導管に沿った形でガイド溝と、が形成された本体、前記マグネット収納部に収納、固定される前記永久磁石および前記包挾部品収納部に配設され、前記配水導管に線接触可能な前記包挾部品から構成される磁気活水器の組み立て方法において、
前記上部磁気ユニットおよび前記下部磁気ユニットのそれぞれの前記ガイド溝にガイド板を挿入して、前記上部磁気ユニットと前記下部磁気ユニットを、前記配水導管を挾設して上下に重ねて組み立て、この時に前記上部磁気ユニットと前記下部磁気ユニットの磁力による吸引力によってそれぞれの包挾部品を前記配水導管に少なくとも線接触させ、かつ両ユニットを互いに装着させること
を特徴とする磁気活水器の組み立て方法を提供する。
【発明の効果】
【００２３】
本発明は、上述のように上部磁気ユニットおよび下部磁気ユニットのそれぞれのガイド溝にガイド板が挿入されて、両者が配水導管を狭設して上下に重ねられて組み立てられたときに、上部磁気ユニットおよび下部磁気ユニットは、それぞれ包挾部品を配水導管に少なくとも線接触させ、固定材で固定されることなく、磁力による吸引力によって互いに装着される構造としているために組み立てを極めて簡単に行うことができ、従って簡単に装脱着できるために容易に設置場所を変更することができ、配水導管に吸引・吸着された磁性鉄粉に基因する異物の堆積に対して容易に対処することができ、安全な磁気活水器を提供することができる。
【００２４】
また、本発明の磁気活水器は、流体に対し、磁気処理を行うことは勿論であるが、遠赤外線を発生する上下部包挾部品によって、とかく汚れ易い磁気活水器の配水導管への装着部分あるいはその周辺雰囲気にも多量のマイナスイオンを生じせしめることによって、当該部に有害となる雑菌類の発生や増殖を抑制し、周辺の雰囲気も含めて衛生的な環境を提供することができる。
【００２５】
上記の遠赤外線は更に配水導管を通して内部流体にも作用し、そのイオン化を助ける磁気と遠赤外線による流体活性化の相乗効果をもたらすと共に、長期間にわたる流体静止状態時に停滞流体に発生し易い有害な雑菌類の発生や増殖を抑制することが出来、極めて重要である配水導管内流体の清潔さの保持が可能となる。
【発明を実施するための最良の形態】
【００２６】
以下、本発明の実施例を図面に基づいて説明する。
【実施例】
【００２７】
図１から図９は、本発明の実施例である磁気活水器の形態を示す図である。
【００２８】
図１は、本実施例である磁気活水器１００の縦断面図および図２はその横断面図である。
図１において、磁気活水器１００は、上部磁気ユニット１および下部磁気ユニット２から構成され、それぞれ永久磁石３、４を内蔵し、配水導管５を狭設し、上下に重ねられて配水導管５に磁界を形成するようにして構成される。上部磁気ユニット１および下部磁気ユニット２はそれぞれ本体９（上側），１０（下側）を備えて、その内部にマグネットケース部組品（上部）２８、マグネットケース部組品（下部）２９を収納する。それぞれのマグネット部組品は後述するように永久磁石３，４および包挾部品７，８を主な構成部品として構成される。
【００２９】
上部磁気ユニット１および下部磁気ユニット２は、直方体状の同一の構造で形成され、組み立てられたときに、両者間には間隙４１が形成される。従って、上部磁気ユニット１についてなされた説明は下部磁気ユニット２にも援用されるものとする。上部磁気ユニット１は、永久磁石３のマグネット収納部５１と、包挾部品７を収納し、配水導管５に向けて形成された包挾部品収納部７１と、マグネット収納部５１および包挾部品収納部７１に沿った横側（図１で左右横側）の壁に配水導管５の配管方向に沿った形で設けたガイド溝２３と、が形成された本体９、マグネット収納部５１に収納、固定される永久磁石３および包挾部品収納部７１に配設され、配水導管５に線接触可能な接触部１１を備えた包挾部品７とから構成される。
【００３０】
同様に、下部磁気ユニット２は、永久磁石４のマグネット収納部６１と、包挾部品８を収納し、配水導管５に向けて形成された包挾部品収納部８１と、マグネット収納部６１および包挾部品収納部８１に沿った横側で配水導管５の配管方向に沿った形で設けたガイド溝２４と、が形成された本体１０、マグネット収納部６１に収納、固定される永久磁石４および包挾部品収納部８１に配設され、配水導管５に線接触可能な接触部１２を備えた包挾部品８とから構成される。
【００３１】
図３は、上側の包挾部品７の構成を示す外観図であり、図４に、包挾部品７の正面図（図４（１））、平面図（図４（２））および側面図（図４（３））を示す。
【００３２】
図３および図４において、包挾部品７は包挾板部７３と上方に延在するノッチ板（上流側）１７およびノッチ板（下流側）１８とからなり、包挾板部７の下面７４は配水導管５に線接触する接触部１１を備え、反対側の面、すなわち配水導管５に線接触する下面７４と反対側の面は曲面で形成されている。この曲面に代えて平面であってもよい。
【００３３】
図５は、下側の包挾部品８の構成を示す外観図であり、図６に、包挾部品８の正面図（図６（１））、平面図（図６（２））および側面図（図６（３））を示す。これらの図において、ノッチ板１７，１８の構成は、下方に延在するが図３に示すと同一であるので番号１７，１８で示す。この場合、線接触する接触部は１１で示す。また、下面を７５で示す。
【００３４】
下側の包挾部品８の場合、包挾部品８はガイド板２１，２２と一体として成形してあり、上部ガイド板部を２１で下部ガイド板部を２２で示す。ガイド板２１，２２は垂直（上方向）方向に直立した板部として形成される。
【００３５】
図３および図５において、ノッチ板１７，１８とガイド板２１とは直角方向に位置する。そして、上部の包挾部品７、下部の包挾部品８およびノッチ板１７，１８、ガイド板２１，２２は矩形状に配置されて配水導管５の一部およびその周囲を包囲することを可能とする。この例の場合、下側の包挾部品８にガイド板２１，２２を一体としたが上側の包挾部品７にガイド板２１，２２を一体にするようにしてもよい。また、この例の場合、一体形としているが別体とすることもでき、組み立て時の簡便さを考慮すると一体的とすることが望ましい。
【００３６】
図７は、上側の本体５１および下側の本体６１の構成を示す。両者は同一の構成としてある。
【００３７】
図８に、いずれかの本体９，１０の正面図（図８（１））、平面図（図８（２））および側面図（図８（３））を示す。
【００３８】
図７および図８において、本体９，１０は、箱体であるマグネットケース部組品２８（上部），２９（下部）を備える。本体９の両側の壁部８２、ガイド溝２３（上部）、２４（下部）が長手方向（配管方向）に形成してあり、端部にはこれに直角方向に位置決め溝１９（上部），２０（下部）が形成してある。この位置決め溝１９，２０が構成された底面が上述した包挾部品収納部７１（上部），８１（下部）の一部を形成することになる。この例の場合、底面は曲面をなす。平面であってもよい。いずれにしても上述した包挾部品７の曲面あるいは平面に一致させる。この曲面には上述した包挾部品７，８の曲面が載置され、面接触構成とされる。包挾部品７，８とマグネット収納部１６の外底部の接触部となる底面を接触部１２（上部），１３（下部）で示す。
【００３９】
本体９（本体１０も同様）の上側には直方体状のマグネット収納部５１（下側は６１）が形成してあり、その底面がマグネット収納部の内底部１６となる。永久磁石３はこのマグネット収納部５１に収納される。この永久磁石３の永久磁石底面１５はマグネット収納部５１の内底部１６に接着固定される。また、この部品には、磁石シールド部品２５を有し、磁気シールドを行うと共に、シリコンゴムなどのシール固定剤２６を充填して外部への磁束漏洩の低減と磁石自体の表面保護を行っている（図１，図２）。また、マグネット収納部５１の取外部にはケースフタ２７が設けられ、磁石を固定した後に閉じられ、接着される。なお、本図には、内底部１６は全面有底部としているが、一部有底部として穴あき状にして、マグネット収納部９と包挾部品収納部７１とを連通し、一部の有底部でそれぞれを面接触で固定するようにしてもよい。本体６１についても同様に構成される。
【００４０】
図９は、図３から図８に示す部品を用いて、配水導管５の一部に上部磁気ユニット１および下部ユニット２を組み立てる方法を示す。図９において、まず上部の包挾部品７と下部の包挾部品８とを組み立てる（Ａ）。この例の場合、ガイド板２１，２２は下部の包挾部品８と一体をなす。
【００４１】
次にガイド板２１をガイド溝２７に、ガイド板２２をガイド溝２４に、そしてノッチ板１７，１８を位置決め溝１９，２０に挿入して組み立て（Ｂ）を行う。このようにして、図９の左図に示すようにして配水導管５の一部を上部磁気ユニット１および下部磁気ユニット２で挟み込みを行って組み立てを完成させる。ガイド板２２はガイド溝２４内で摺動可能とされる。
【００４２】
上下部の包挾部品７，８はそれぞれ配水導管布設方向に対しての位置固定用ノッチ板（上下流側）１７，１８を有し、上下部のマグネットケースの位置決め溝１９，２０に入るようにして各部品の関係位置のずれを防止している。上下の永久磁石３，４の吸引力は比較的強いのでこの力で上下部のマグネットケース部組品２８，２９が配水導管５を挟み込んで、上下部包挾部品７，８が配水導管５を挟み込んで装着される。このようにして本体５１，６１が配水導管５の一部に装着される。ノッチ板１７，１８は位置決め溝１９，２０内を摺動可能とされる。
【００４３】
このように、図１，図９において、上部磁気ユニット１および下部磁気ユニット２のそれぞれのガイド溝２３，２４にガイド板２１，２２が挿入されて、両者が配水導管５を挾設して上下に重ねられて組み立てられたときに、上部磁気ユニット１および下部磁気ユニット２は、それぞれの包挾部品７，８を配水導管５に接触部１１で接触、少なくとも線接触させ、固定材で固定されることなく、両ユニット１，２も磁力による吸引力によって互いに装着される。
【００４４】
配水導管５の一部は上下部の包挾部品７，８によって上下から挟まれ、その接触部１１でそれぞれ包み込むように少なくとも線接触（面接触を含む）し、配水導管内の流体の熱はこの接触部１１を通して各々の包挾部品７，８に効率的に伝導される。すなわち、包挾部品７，８は配水導管５を挾設したときに、挾設した部分の配水導管５の全周面をほぼ密着に近い状態で包挾する。多種類の包挾部品７，８を採用する場合には、配水導管５の径に合わせて面接触するようにして構成することができる。また磁気活水器の装着時には、下部の包挾部品８のガイド板２１およびガイド板２２は、それぞれ上部のマグネット収納部９のガイド溝（上部）２３に、下部のマグネット収納部１０のガイド溝（下部）２４に入り、下部の包挾部品８には上下部マグネット収納部９，１０との関係位置決めの固定と配水導管５より伝導の熱量の外部への放散防止の役割を持たせている。
【００４５】
上下部の包挾部品７は配水導管５内の流体６の温度や周囲温度に敏感に反応して効率良く遠赤外線が発射できるように、ＡＢＳ樹脂成形品とし、原材料中に予め遠赤外線発射材料を２〜５％ｗｔ含有混合されたものを使用する。こうすることによって、遠赤外線によるマイナスイオン発生を促し、流体にこれを作用させると同様に磁気活水器周辺、雰囲気の清潔さの保持を確実なものにしている。
【００４６】
配水導管表面と配水導管側の永久磁石底面の配水導管接触線上での接近寸法を例えば２ｍｍ以下（０を含まず）としている。ただし、この寸法は設計条件に従って変更可能である。
【００４７】
磁気活水器１００の配水導管５への装脱着は、永久磁石内蔵の上下部マグネットケース部組品２８，２９を切り離して簡単にできる構造とすると共に、装着はガイド板２１，２２、ノッチ板（上下流側）１７，１８をマグネットケース部組品２８，２９のそれぞれの位置決め溝１９，２０、ガイド溝２３，２４に入れながら上下の永久磁石３，４の吸引力だけで、ワンタッチでできる構造としている。従って、磁気活水器の新設・移設ばかりでなく定期的な配管内ブローによる清掃など工具を一切必要としない構造としている。ガイド板２１，２２、ノッチ板１７，１８は配水導管５の一部および包挾部品７，８を含む周辺部品を包含する。
以上のように、本実施例の磁気活水器１００は次のような構成、特徴を有する。
【００４８】
永久磁石３，４内蔵の上部磁気ユニット１と下部磁気ユニット２をそれぞれその下底面を対向させて配水導管５を狭設して上下に重ね、各磁気ユニットの永久磁石によって配水導管内に一定の磁界を形成させて、この配水導管内を導電性流体６が通過する時、その流体は磁気処理されて、浸透力や溶解力などの流体の性質が変化し活性化され磁気処理水となる。各磁気ユニットの上部の包挾部品７と下部の包挾部品８を配水導管５を包挾するように配置し、各包挾部品の接触部１１と配水導管５とが少なくとも線接触で接し、また各包挾部品と各磁気ユニットのマグネット収納部５１，６１の外底部との接触部１２，１３は面接触で接して、しっかりと固定される。
【００４９】
図１の直角断面の中心の接触部１１では配水導管表面１４と永久磁石底面１５の最小値を図り、永久磁石はそれぞれ同一寸法の長方形形状磁石を使用し、マグネットケースの内底部１６に接着固定する。上下部の包挾部品にはそれぞれ配水導管上下流側に固定用のノッチ板１７，１８を設け、このノッチ板が上下のマグネット収納部５１，６１の上下流側の位置決め溝１９，２０に入る構造とし、下部の包挾部品８にはさらにガイド板２１及びガイド板２２を設け、ガイド板２１は上部マグネット収納部５１の流路方向に平行の両ガイド溝２３に、ガイド板２２は下部マグネット収納部６１のガイド溝２４に入るようにし、それぞれ取付時のずれを防止している。
【００５０】
上下マグネット収納部５１，６１内には磁気シールド部品２５を配し、ケース内全体をシール固定剤２６で満たして固定を確実なものにすると共にこの部分の空気層を極力少なくしている。更にケースフタ２７を接着剤でシール固定し外部雰囲気よりの保護を実施している。
【００５１】
これら上下部磁気ユニット１，２から成る磁気活水器１００の配水導管５への装脱着は上下の永久磁石３，４の強力な吸引力によるワンタッチ装脱着を可能した構造によって実現している。
【００５２】
上部の包挾部品７および下部の包挾部品８の材料は、ＡＢＳ樹脂などの樹脂成形品とし、成形前の樹脂原材料に予め遠赤外線発射材料を適量混合・調合の上、成形の成形品を使用する。この場合の混合比率は完成品の機械的強度、製造工程、遠赤外線発射性能などを考慮して２〜５％ｗｔ内の成形品を使用し、配水導管内の流体温度や周囲温度に各包挾部品が敏感に反応して遠赤外線を発射し、配水導管内の流体と磁気活水器、装着部及び雰囲気に対しそのマイナスイオン効果によって大腸菌などの細菌類の発生・増殖を抑制することとする。
【００５３】
上下部磁気ユニット１，２を、永久磁石３，４、シールド金属２５、シール固定材２６などからなる上下部マグネットケース部組品２８，２９、上下部の包挾部品７，８あるいは本体９，１０を分離できる構造として、それぞれの包挾部品７，８で配水導管５に包挾装着できる構造とし、配水導管５よりの熱伝導の効率を高めると共に、マグネットケースの材料とＡＢＳ樹脂などの一般樹脂材とし、各包挾部品７，８を遠赤外線発射材料含有の樹脂材を使用することによって、上下磁気ユニットに使用のマグネット収納部５１，６１を同一構造とし、且つ比較的高価な遠赤外線発射材料の使用を各包挾部品７，８に限定するようにするのがよい。
【００５４】
配水導管接触部の空気層３０の配水導管進行方向に対し、直角方向への移動をガイド板２１によって防止した構造として配水導管５からの熱伝導の熱量の外部放散を抑制し効率的に各包挾部品７，８に熱量が伝わるようにする。
【００５５】
配水導管表面と永久磁石底面の配水導管接触線上での接近寸法を２ｍｍ以下とし、上下の永久磁石３，４による配水導管内の効果の磁束密度を高める。
【００５６】
本実施例では、永久磁石３，４内蔵の上部磁気ユニット１と下部磁気ユニット２から成る磁気活水器の配水導管５への装着を、先ず磁気活水器取付部の該配管外周面のほぼ全ての面を包接するように上部包挾部品７および下部包挾部品８を配置し、その外周面を長方形状の永久磁石３，４、包挾部品７，８など内蔵の上下のマグネットケース部組品２８，２９を対極させて配置し、配水導管内部に一方にＮ極、他方にＳ極の仮想極を形成せしめ、流水方向３０に対して直角方向の磁界を形成する。従って、上下部の本体９，１０は配水導管５と上下部包挾部品７，８をはさんで自身の永久磁石３，４の強力な吸引力でお互いに吸引締めつけられ、一体化される形体とした。
【００５７】
上下部の包挾部品７，８はＡＢＳ樹脂などの成形品を用い、予めその材料中に遠赤外線発射材料を混ぜて調合後成形したものを用いた。混合比率は、成形品の機械的強度、製造工程、成形品質遠赤外線発射性能などを見極めて、２〜５％ｗｔの範囲の成形品を用いた。このような構造にすることによって、配水導管内の流体の温度や、磁気活水器の周囲温度に上下部包挾部品７，８が敏感に反応して多量の遠赤外線を四方八方に放射する。この遠赤外線は配水導管内の液体は勿論、磁気活水器の取付部、周辺雰囲気にも及んで、多量のマイナスイオンを放射する。そのマイナスイオンは滅菌作用効果を発揮して、細菌類の発生、増殖を抑制する。
【００５８】
上下部の包挾部品７，８の配水導管５内の流体温度に反応しての遠赤外線発射をより効果的にするには、流体温度を効率的にこれらの部品に熱伝導させるから重要で、配水導管５と上下の包挾部品７，８の間隙に生ずる空間３０の空気の移動による熱放散防止が必要で、下部の包挾部品８のガイド板２１によって、流水方向３１に対し直角方向の空気の移動防止を可能にした。この事によって配水導管内の流体温度に反応しての上下部の包挾部品７，８からの効率的な遠赤外線放射が可能となる。
【００５９】
マグネットケース部組品（上部）２８のガイド溝（上部）２３に入る下部包挾部品４のガイド板２１が長い構造とし、且つガイド（上下部）２３，２４の溝中とガイド板２１、ガイド板２２の板厚のクリアランスを０．５ｍｍ程度として磁気活水器装着時の横方向ずれを防止すると共に、位置決め溝１９，２０の溝中と上下流のノッチ板１７，１８の板厚のクリアランスも０．５ｍｍ程度として磁気活水器装着時の縦方向ずれも防止した。こうすることによって、位置ずれの心配のない磁気活水器のワンタッチ装脱着が可能となり、配水導管中の仮想磁極周辺に鉄粉などを中核とするその他物質の堆積物が生じたとしても、ワンタッチで液体をブローするだけで簡単に堆積物除去のできる構造を実現できる。
【００６０】
水道水、地下水などの一般市水は、長距離の送水配管や各種機器（制御弁、増圧ポンプ、各種バルブなど）を経由して需要家に供給される。これには必ず鉄材が使用される例が多く、設置後多年経過している場合は鉄錆などが発生し流体中に含まれる例が多い。一方磁気活水器を配水導管へ装着した部分の管内壁には必ず強力な仮想磁極が形成されている。前記の鉄錆などの磁性を持つ材料はこの磁極に吸引されて強い力で付着する。これを中核としてその他の物質（不純物で衛生上好ましくないものを含む）もその部分にかたまりとなって堆積する可能性が高い。この堆積物は条件次第で流体の流れ自体に支障をきたす可能性さえもっている。これが原因で流体中に好ましからざる腐敗臭などのニオイ成分を生じて磁気活水器の存在意義自体を著しく損なうことになる。本実施例の磁気活水器１００は、上記の問題を確実に解決し、このような危険な場合、ワンタッチで磁気活水器１００を配水導管５より外して、内部の仮想磁極をなくして流体をブローして堆積物を簡単に除去できるようにして、定期的に使用者が堆積物を除去することができる。
【００６１】
上下部の磁気ユニット３，４を、それぞれ上下部の包挾部品７，８あるいは上下部のマグネットケース部組品２８，２９に分離する構造にしたことによって、比較的高価な遠赤外線発射材料の使用を上下部の包挾部品７，８に限定使用が可能となり、製造コストの低減が可能となった。またマグネットケース部組品２８，２９を組み込む本体９，１０の同一構造化を可能とし、成形型費用、組立費用などの低減ができ、製造コストの低減が可能となった。
【図面の簡単な説明】
【００６２】
【図１】本発明の実施例である磁気活水器の縦方向断面図。
【図２】本発明の実施例である磁気活水器の横方向断面図。
【図３】上部の包挾部品外観図。
【図４】上部の包挾部品構造図。
【図５】下部の包挾部品外観図。
【図６】下部の包挾部品構造図。
【図７】マグネット収納部外観図。
【図８】マグネット収納部構造図。
【図９】配水導管への包挾装着説明図。
【符号の説明】
【００６３】
１…上部磁気ユニット、２…下部磁気ユニット、３…永久磁石、４…永久磁石、５…配水導管、６…導電性流体、７…上部包挾部品、８…下部包挾部品、９…本体（マグネットケース）（上側）、１０…本体（マグネットケース）（下側）、１１…包挾部品と配水導管の接触部、１２…包挾部品とマグネット収納部外底部の接触部、１３…包挾部品とマグネット収納部外底部の接触部、１４…配水導管表面、１５…永久磁石底面、１６…マグネット収納部の内底部、１７…ノッチ板（上流側）、１８…ノッチ板（下流側）、１９…位置決め溝、２０…位置決め溝、２１…ガイド板１、２２…ガイド板２、２３…ガイド溝（上部）、２４…ガイド溝（下部）、２５…磁気シールド部品、２６…シール固定剤、２７…ケースフタ、２８…マグネットケース部組品（上部）、２９…マグネットケース部組品（下部）、３０…空間、３１…流水方向、４１…間隙、５１，６１…マグネット収納部、７１，８１…包挾部品収納部。
【図１】
2008253935.tif 000003
【図２】
2008253935.tif 000004
【図３】
2008253935.tif 000005
【図４】
2008253935.tif 000006
【図５】
2008253935.tif 000007
【図６】
2008253935.tif 000008
【図７】
2008253935.tif 000009
【図８】
2008253935.tif 000010
【図９】
2008253935.tif 000011